(57)【要約】【課題】光ケーブル網における障害発生部位を迅速に特定する。【解決手段】光ケーブル網における障害位置情報を出力する情報処理装置であって、光ケーブル網を構成する光ケーブル毎に光ケーブル特定情報と光ケーブルの長さを示す情報と光ケーブルの両端部がそれぞれ取り込まれる中継設備特定情報とを対応付けて記憶するデータベースと、障害発生地点までの光ケーブル長を測定する起点となる中継設備指定情報の入力を受ける中継設備入力部と、障害発生地点までの光ケーブル長を示す情報の入力を受ける光ケーブル長入力部と、前記中継設備から前記障害発生地点に至る経路に沿って敷設されている各光ケーブルの各長さを順次光ケーブル長を超えるまで足し合わせる光ケーブル長足し合わせ部と、最後に足し合わせた光ケーブルの両端部がそれぞれ取り込まれる中継設備特定情報を出力する障害区間出力部とを備える。【選択図】図１
2007166505.tif 000002
【特許請求の範囲】
【請求項１】
光ケーブル網において発生した障害の位置を示す情報を出力する情報処理装置であって、
光ケーブル網を構成する光ケーブル毎に、光ケーブルを特定する情報と、光ケーブルの長さを示す情報と、光ケーブルの両端部がそれぞれ取り込まれる中継設備を特定する情報とを、対応付けて記憶する光ケーブル管理データベースと、
障害発生地点までの光ケーブル長を測定する起点となる中継設備を指定する情報の入力を受ける中継設備入力部と、
前記中継設備から測定した前記障害発生地点までの光ケーブル長を示す情報の入力を受ける光ケーブル長入力部と、
前記中継設備から前記障害発生地点に至る経路に沿って敷設されている各光ケーブルのそれぞれの長さを、順次、前記光ケーブル長を超えるまで足し合わせる光ケーブル長足し合わせ部と、
最後に足し合わせた光ケーブルの両端部がそれぞれ取り込まれる中継設備を特定する情報を出力する障害区間出力部と、
を備えることを特徴とする情報処理装置。
【請求項２】
光ケーブルを示す線画図形及び中継設備を示す図形により、前記経路上の各光ケーブルの接続関係を示す画像を出力し、その際に、前記最後に足し合わせた光ケーブルを示す線画図形については他の光ケーブルを示す線画図形とは異なる描画方法で示す障害区間画像表示部と、
を備えることを特徴とする請求項１に記載の情報処理装置。
【請求項３】
前記指定された中継設備において光ケーブルの心線に光パルスを入力し、その散乱光を検出するまでの時間に基づいて、前記中継設備から前記障害発生地点までの光ケーブル長を測定する光ケーブル長測定装置と通信可能に接続され、
前記光ケーブル長入力部は、前記光ケーブル長測定装置から前記測定した光ケーブル長を示す情報を受信することにより、前記障害発生地点までの光ケーブル長を示す情報の入力を受ける
ことを特徴とする請求項１に記載の情報処理装置。
【請求項４】
光ケーブル網を構成する各光ケーブル及び各中継設備が敷設される位置にあわせて、地図上に、各光ケーブルを示す線画図形及び各中継設備を示す図形を表示した画像を記憶する地図データベースと、
前記指定された中継設備を特定する情報と、前記指定された中継設備から障害発生地点までの光ケーブル長を示す情報と、前記経路上の各光ケーブルのそれぞれの長さを示す情報と、に基づいて、前記障害発生地点の前記地図上における位置を特定する障害位置特定部と、
前記特定された位置に、前記障害発生地点を示す図形を重ねて表示した画像を表示する障害位置表示部と、
を備えることを特徴とする請求項１に記載の情報処理装置。
【請求項５】
光ケーブル網を構成する光ケーブル毎に、光ケーブルを特定する情報と、光ケーブルの長さを示す情報と、光ケーブルの両端部がそれぞれ取り込まれる中継設備を特定する情報とを、対応付けて記憶し、光ケーブル網において発生した障害の位置を示す情報を出力する情報処理装置の制御方法であって、
前記情報処理装置が、障害発生地点までの光ケーブル長を測定する起点となる中継設備を指定する情報の入力を受け、
前記情報処理装置が、前記中継設備から測定した前記障害発生地点までの光ケーブル長を示す情報の入力を受け、
前記情報処理装置が、前記中継設備から前記障害発生地点に至る経路に沿って敷設されている各光ケーブルのそれぞれの長さを、順次、前記光ケーブル長を超えるまで足し合わせ、
前記情報処理装置が、最後に足し合わせた光ケーブルの両端部がそれぞれ取り込まれる中継設備を特定する情報を出力する、
ことを特徴とする情報処理装置の制御方法。
【請求項６】
光ケーブル網を構成する光ケーブル毎に、光ケーブルを特定する情報と、光ケーブルの長さを示す情報と、光ケーブルの両端部がそれぞれ取り込まれる中継設備を特定する情報とを、対応付けて記憶し、光ケーブル網において発生した障害の位置を示す情報を出力する情報処理装置に、
障害発生地点までの光ケーブル長を測定する起点となる中継設備を指定する情報の入力を受ける手順と、
前記中継設備から測定した前記障害発生地点までの光ケーブル長を示す情報の入力を受ける手順と、
前記中継設備から前記障害発生地点に至る経路に沿って敷設されている各光ケーブルのそれぞれの長さを、順次、前記光ケーブル長を超えるまで足し合わせる手順と、
最後に足し合わせた光ケーブルの両端部がそれぞれ取り込まれる中継設備を特定する情報を出力する手順と、
を実行させるためのプログラム。
【発明の詳細な説明】
【技術分野】
【０００１】
本発明は、光ケーブル網の管理を支援する情報処理装置、情報処理装置の制御方法およびプログラムに関する。
【背景技術】
【０００２】
近年、情報技術の進歩と共にコンピュータ間で授受されるデータ量が増加し、より高速な通信回線を求める需要者が増加している。それに伴い、光ケーブル網の構築が急速に進められている。  
またこのような光ケーブル網を管理するための様々な技術も開発されている（例えば特許文献１参照）。
【特許文献１】特開２００３−２３３６２９号公報
【発明の開示】
【発明が解決しようとする課題】
【０００３】
光ケーブル網は、多数の光ケーブルが広範囲な地域にわたって複雑に接続されて構成される。  
このような光ケーブル網の管理は、正確かつ確実に行われなければならないが、近年光ケーブル網の利用者が急増し、また光ケーブルの敷設も急速に進められている。  
このため、光ケーブル網の維持管理の負担が増大しており、作業負担を軽減する技術が求められている。また光ケーブル網において障害が発生した場合には、その位置を迅速に特定し、対応を行うことが求められる。
【０００４】
本発明は、上記課題を鑑みてなされたものであり、光ケーブル網における障害発生位置を迅速に特定することを可能とする情報処理装置、情報処理装置の制御方法およびプログラムを提供することを主たる目的とする。
【課題を解決するための手段】
【０００５】
上記課題を解決するために、本発明は、光ケーブル網において発生した障害の位置を示す情報を出力する情報処理装置であって、光ケーブル網を構成する光ケーブル毎に、光ケーブルを特定する情報と、光ケーブルの長さを示す情報と、光ケーブルの両端部がそれぞれ取り込まれる中継設備を特定する情報とを、対応付けて記憶する光ケーブル管理データベースと、障害発生地点までの光ケーブル長を測定する起点となる中継設備を指定する情報の入力を受ける中継設備入力部と、前記中継設備から測定した前記障害発生地点までの光ケーブル長を示す情報の入力を受ける光ケーブル長入力部と、前記中継設備から前記障害発生地点に至る経路に沿って敷設されている各光ケーブルのそれぞれの長さを、順次、前記光ケーブル長を超えるまで足し合わせる光ケーブル長足し合わせ部と、最後に足し合わせた光ケーブルの両端部がそれぞれ取り込まれる中継設備を特定する情報を出力する障害区間出力部と、を備えることを特徴とする情報処理装置に関する。  
このような態様により、障害が発生した光ケーブルの両端部の中継設備を特定する情報が出力されるため、光ケーブル網における障害発生部位を迅速に特定することが可能となる。そして光ケーブル網に発生した障害を速やかに取り除くことが可能となる。これにより、光ケーブル網の信頼性や可用性を向上させると共に、光ケーブル網の維持管理負担を軽減することが可能となる。
【０００６】
また前記情報処理装置は、光ケーブルを示す線画図形及び中継設備を示す図形により、前記経路上の各光ケーブルの接続関係を示す画像を出力し、その際に、前記最後に足し合わせた光ケーブルを示す線画図形については他の光ケーブルを示す線画図形とは異なる描画方法で示す障害区間画像表示部と、を備えるようにすることもできる。  
このような態様により、障害発生部位を特定する情報を視覚的に出力することが可能となる。これにより、光ケーブル網を構成する膨大な数の光ケーブルの中から、障害が発生した光ケーブルをよりわかりやすく特定することが可能となり、光ケーブル網の維持管理負担をより一層軽減することが可能となる。
【０００７】
また前記情報処理装置は、前記指定された中継設備において光ケーブルの心線に光パルスを入力し、その散乱光を検出するまでの時間に基づいて、前記中継設備から前記障害発生地点までの光ケーブル長を測定する光ケーブル長測定装置と通信可能に接続され、前記光ケーブル長入力部は、前記光ケーブル長測定装置から前記測定した光ケーブル長を示す情報を受信することにより、前記障害発生地点までの光ケーブル長を示す情報の入力を受けるようにすることができる。  
このような態様により、障害発生地点までの光ケーブル長を、光ケーブル長測定装置から受信することができるため、障害発生部位特定のための作業負担を軽減することが可能となる。
【０００８】
また前記情報処理装置は、光ケーブル網を構成する各光ケーブル及び各中継設備が敷設される位置にあわせて、地図上に、各光ケーブルを示す線画図形及び各中継設備を示す図形を表示した画像を記憶する地図データベースと、前記指定された中継設備を特定する情報と、前記指定された中継設備から障害発生地点までの光ケーブル長を示す情報と、前記経路上の各光ケーブルの長さを示す各情報と、に基づいて、前記障害発生地点の前記地図上における位置を特定する障害位置特定部と、前記特定された位置に、前記障害発生地点を示す図形を重ねて表示した画像を表示する障害位置表示部と、を備えるようにすることもできる。  
このような態様により、障害発生地点を地図上に示すことができるので、障害発生地点の正確な特定が可能となる。そして、修理等のために迅速に現地へ向かうことが可能となり、光ケーブル網の信頼性や可用性を向上させることが可能となる。そして光ケーブル網の維持管理作業負担をさらに軽減することが可能となる。
【０００９】
その他、本願が開示する課題、及びその解決方法は、発明を実施するための最良の形態の欄、及び図面により明らかにされる。
【発明の効果】
【００１０】
光ケーブル網における障害発生位置を迅速に特定することが可能となる。
【発明を実施するための最良の形態】
【００１１】
＝＝＝全体構成例＝＝＝
本実施の形態にかかる光ケーブル心線管理サーバ２００を含む光ケーブル心線管理システム９００の全体構成を図１に示す。なお光ケーブル心線管理サーバ２００は、特許請求の範囲に記載の情報処理装置に相当する。
【００１２】
＜光ケーブル心線管理システム＞
光ケーブル心線管理システム９００は、光ケーブル心線管理サーバ２００に、利用者端末１００及び光ケーブル長測定装置３００がネットワーク５００を介して通信可能に接続されてなる。なお後述するように、光ケーブル心線管理システム９００は、利用者端末１００及び光ケーブル長測定装置３００を設けない構成とすることもできる。
【００１３】
光ケーブル心線管理システム９００は、光ケーブル網における各光ケーブルが、クロージャ等の中継設備で接続されている様子を示す系統図をベースにした心線設計・管理用のシステムである。光ケーブル心線管理システム９００においては、局やクロージャ、ドロップクロージャ、建物、ＣＴＦ／ＩＤＦ（Cable Terminating Frame／Intermediate Distribution Frame）、お客様の各情報と、これらを結ぶ光ケーブルの設備状況と運用状況、クロージャ、ＣＴＦ／ＩＤＦ内の心線接続状況及びその運用状況、心線に重畳する回線及びその運用状況を管理することができる。
【００１４】
また光ケーブル心線管理システム９００は、次のような特徴がある。まず系統図全体のつながりを把握しながら複数ルートの検索結果から最適ルートを選択できる。また設備や心線接続の計画管理機能、及び心線に重畳する回線の予約管理機能を有する。さらにＦＴＴＨ（Fiber To The Home）の迅速な設計をおこなうため、通信速度などにおけるレスポンス低下の影響を受けないように配慮されている。またマルチウインドウ環境により、画面上に複数の系統図や各種帳票を開きながら心線や回線の属性編集ができる。またダウンロード機能により、系統図や単線結線図などの図面やデータベース一覧をダウンロードでき、工事仕様書への添付資料などとして利用できる。またアップロード機能により、ケーブル区間毎の所有心線数の更新管理を効率的に行える。
【００１５】
光ケーブル心線管理サーバ２００は、光ケーブル網において発生した障害の位置を示す情報を出力し、光ケーブル網の管理を支援するためのコンピュータである。
【００１６】
光ケーブル網は、複数の光ケーブル内の心線同士を相互に接続して構成される。また各光ケーブルは、通常数百メートルから数千メートルの長さを有する。そしてクロージャや局等の各中継設備に取り込まれる。中継設備に取り込まれた光ケーブルは、他の光ケーブルと接続される場合もあるし、その中継設備を通過する場合もある。
【００１７】
光ケーブルは、通常、電柱間に架空で架線されたり地中に埋設されたりして敷設される。そして光ケーブルは、台風や地震等の影響により、心線が断線したり強く屈曲したりすることがある。この場合、その心線を使用する光通信に支障が生じることになる。光ケーブル網は広範な地域にわたって構築されているため、障害が発生した部位を特定するには多大な時間と労力を要する。
【００１８】
ここで、障害発生部位を特定するために、光ケーブル長測定装置を用いることがある。光ケーブル長測定装置は、光ケーブルの心線に光パルスを入力し、その散乱光を検出するまでの時間に基づいて、障害発生地点までの光ケーブル長を算出するコンピュータである。光ケーブルの心線内に光パルスを入力すると、その光パルスは散乱することなく心線内を光速で進んでゆくが、断線や強い屈曲等の障害が発生している場合には、その場所で光が散乱する。このようにして光ケーブル長を測定する方法は、ＯＴＤＲ（Optical Time Domain Reflectmeter）法とも呼ばれている。
【００１９】
このようにして、障害発生地点までの光ケーブル長を測定することは可能であるが、それが光ケーブル網の広い敷設エリアの中のどこなのかということを特定することは、大きな労力を要する。本実施の形態に係る光ケーブル心線管理サーバ２００は、後述する仕組みにより、光ケーブル網における障害の位置を示す情報を出力することができる。そしてこれにより、光ケーブル網の維持管理の作業負担を軽減することが可能となる。
【００２０】
利用者端末１００は、光ケーブル心線管理サーバ２００と通信可能に接続され、上記障害発生部位の特定等の光ケーブル網の管理を行う際に用いられるコンピュータである。なお、光ケーブル網の管理は、利用者端末１００を用いずに行うことも可能である。この場合は、利用者端末１００は無くてもよい。
【００２１】
＝＝＝光ケーブル心線管理サーバ、利用者端末の構成＝＝＝
次に、光ケーブル心線管理サーバ２００、利用者端末１００の構成について説明する。光ケーブル心線管理サーバ２００、利用者端末１００はいずれもコンピュータであり、ハードウェア構成は基本的に同様である。そのため、これらのハードウェア構成をひとつのブロック図にまとめて図２に示す。
【００２２】
＜光ケーブル心線管理サーバ＞
光ケーブル心線管理サーバ２００は、ＣＰＵ（Central Processing Unit）２１０、メモリ２２０、ポート２３０、記録媒体読取装置２４０、入力装置２５０、出力装置２６０、記憶装置２８０を備えたコンピュータである。
【００２３】
ＣＰＵ２１０は光ケーブル心線管理サーバ２００の全体の制御を司るもので、記憶装置２８０に記憶される本実施の形態に係る各種の動作を行うためのコードから構成される光ケーブル心線管理サーバ制御プログラム（特許請求の範囲に記載のプログラムに相当する）７１０をメモリ２２０に読み出して実行することにより、光ケーブル心線管理サーバ２００としての各種機能を実現する。
【００２４】
例えばＣＰＵ２１０により光ケーブル心線管理サーバ制御プログラム７１０が実行され、メモリ２２０やポート２３０、入力装置２５０、出力装置２６０、記憶装置２８０等のハードウェア機器と協働することにより、特許請求の範囲に記載の光ケーブル管理データベース、中継設備入力部、光ケーブル長入力部、光ケーブル長足し合わせ部、障害区間出力部、障害区間画像表示部、地図データベース、障害位置特定部、障害位置表示部が実現される。メモリ２２０は例えば半導体記憶装置により構成することができる。
【００２５】
記録媒体読取装置２４０は、フレキシブルディスクや磁気テープ、コンパクトディスク等の記録媒体４００に記録されているプログラムやデータを読み取るための装置である。読み取られたプログラムやデータはメモリ２２０や記憶装置２８０に格納される。従って、例えば記録媒体４００に記録された光ケーブル心線管理サーバ制御プログラム７１０を、記録媒体読取装置２４０を用いて上記記録媒体４００から読み取って、メモリ２２０や記憶装置２８０に記憶するようにすることができる。記録媒体読取装置２４０は光ケーブル心線管理サーバ２００に内蔵されている形態とすることもできるし、外付されている形態とすることもできる。
【００２６】
記憶装置２８０は、例えばハードディスク装置や半導体記憶装置等とすることができる。記憶装置２８０には、図３に示すように、光ケーブル心線管理サーバ制御プログラム７１０やクロージャ管理データベース６００、ケーブル管理データベース６５０、地図データベース６８０が記憶される。このうち、ケーブル管理データベース６５０は、特許請求の範囲に記載の光ケーブル管理データベースに相当する。
【００２７】
クロージャ管理データベース６００はクロージャを管理するためのデータベースである。クロージャは、光ケーブル網において各光ケーブルを取り込む中継設備の一つである。クロージャ管理データベース６００を図５に示す。クロージャ管理データベース６００の”クロージャ種別”欄には、クロージャの種類を示す情報が記載される。クロージャの種類としては「クロージャ」や「ドロップクロージャ」がある。”クロージャ名称”欄には、クロージャを特定する情報が記載される。”接続情報（ケーブル名称）”欄には、各クロージャに取り込まれる光ケーブルを特定する情報として光ケーブルの名称が記載される。また”接続情報（区間名称）”欄には、当該光ケーブルの両端部が取り込まれる中継設備を特定する情報が記載される。”運用状況”欄には、当該クロージャの運用状況が記載される。
【００２８】
ケーブル管理データベース６５０は、光ケーブル網を構成する各光ケーブルを管理するためのデータベースである。ケーブル管理データベース６５０を図６に示す。”ケーブル名称”欄には、各光ケーブルを特定する情報が記載される。また”ケーブル区間名称”欄には、当該光ケーブルの両端部が取り込まれる中継設備をそれぞれ特定する情報が記載される。”ケーブル総心線数”欄には、光ケーブル内の心線の数が記載される。”ケーブル実長”欄には、光ケーブルの長さを示す情報が記載される。
【００２９】
入力装置２５０は光ケーブル心線管理サーバ２００へのデータ入力等のために用いられる装置でありユーザインタフェースとして機能する。入力装置２５０としては例えばキーボードやマウス等を用いることができる。  
出力装置２６０は情報を外部に出力するための装置でありユーザインタフェースとして機能する。出力装置２６０としては例えばディスプレイやプリンタ等を用いることができる。
【００３０】
ポート２３０は通信を行うための装置である。例えばネットワーク５００を介して行われる、利用者端末１００や光ケーブル長測定装置３００等の他のコンピュータとの通信は、ポート２３０を介して行われるようにすることができる。また例えば、光ケーブル心線管理サーバ制御プログラム７１０をポート２３０を通じて他のコンピュータからネットワーク５００を介して受信して、メモリ２２０や記憶装置２８０に記憶するようにすることもできる。
【００３１】
＜利用者端末＞
利用者端末１００は、ＣＰＵ１１０、メモリ１２０、ポート１３０、記録媒体読取装置１４０、入力装置１５０、出力装置１６０、記憶装置１８０を備える。  
これらの各装置の機能は、上述した光ケーブル心線管理サーバ２００が備える各装置と同様である。  
また、利用者端末１００の記憶装置１８０には、図４に示すように、利用者端末制御プログラム７００が記憶され、ＣＰＵ１１０によって実行されることにより、利用者端末１００としての各種機能が実現される。例えば利用者端末制御プログラム７００は、光ケーブル心線管理サーバ２００との通信を制御し、ブラウザ機能を実現する。
【００３２】
＝＝＝障害発生部位特定処理＝＝＝
次に、本実施の形態に係る光ケーブル心線管理サーバ２００により、光ケーブル網において発生した障害の部位を特定し、出力する処理について、図７乃至図１２を参照しながら説明する。図１２は、障害発生部位特定処理の流れを示すフローチャートである。
【００３３】
光ケーブル網における各光ケーブルが、クロージャ等の中継設備で接続されている様子を示す心線単線結線図を図７に示す。心線単線結線図は、光ケーブルを示す線画図形及び中継設備を示す図形により、光ケーブルの接続関係を示したものである。ここで図７に示す心線単線結線図は、利用者端末１００の出力装置１６０であるディスプレイに表示されているものとするが、もちろん光ケーブル心線管理サーバ２００の出力装置２６０であるディスプレイに表示されている場合であっても良い。
【００３４】
図７に示す心線単線結線図の画面において、中継設備は丸印で表され、光ケーブルは線画図形で表される。そして光ケーブルを表す各線画図形の近傍には、光ケーブルの長さが表示されている。例えば、「Ｃ」の中継設備と「Ｄ」の中継設備の間をつなぐ光ケーブルは、４３０ｍであることが示される。これらの情報は、ケーブル管理データベース６５０を参照することにより得ることができる。
【００３５】
ここで、マウスのカーソルを、障害発生地点までの光ケーブル長を測定する起点となる中継設備を示すアイコン（図７に示す例では「Ａ」で示されるアイコン）に重ねてクリックすると、光ケーブル心線管理サーバ２００は、その中継設備を指定する情報の入力を受け付ける（S1000）。
【００３６】
そして光ケーブル心線管理サーバ２００は、図８に示すような光ケーブル長入力画面を表示する。この画面では、上記指定した中継設備から、光ケーブル長測定装置３００を用いて測定した障害発生部位までの距離データ（光ケーブル長を示す情報）の入力を行う。図８において、例えば測定データとして、７００ｍを入力して「実行」欄にマウスのカーソルを重ねてクリックすると、光ケーブル心線管理サーバ２００は、中継設備から測定した障害発生地点までの光ケーブル長を示す情報の入力を受け付ける（S1010）。なお、中継設備から測定した障害発生地点までの光ケーブル長を示す情報は、光ケーブル長測定装置３００からネットワーク５００を介して受信するようにしても良い。このようにして、障害発生地点までの光ケーブル長の入力処理を、光ケーブル長測定装置３００と連動させることにより、障害部位特定の作業効率の向上を図ることが可能となる。
【００３７】
中継設備から測定した障害発生地点までの光ケーブル長を示す情報の入力を受け付けると、光ケーブル心線管理サーバ２００は、上記中継設備から障害発生地点に至る光ケーブル網における経路に沿って敷設されている各光ケーブルのそれぞれの長さを、順次、障害発生地点までの光ケーブル長を超えるまで足し合わせる（S1020、S1030）。中継設備から障害発生地点に至る光ケーブル網における経路は、ケーブル管理データベース６５０のケーブル名称欄に記憶されている光ケーブルを特定する情報と、ケーブル区間名称欄に記憶されているその光ケーブルの両端部がそれぞれ取り込まれる中継設備を特定する情報とに基づいて、求めることができる。なおその際、上記中継設備を起点として接続される光ケーブルの経路が複数ある場合には、各経路上の各光ケーブルの長さをそれぞれ、順次、経路毎に、障害発生地点までの光ケーブル長を超えるまで足し合わせる。
【００３８】
そして光ケーブル心線管理サーバ２００は、図９に示すように、最後に足し合わせた光ケーブルの両端部がそれぞれ取り込まれる中継設備を特定する情報を出力する（S1040）。図９に示す画面は、上記中継設備を起点として接続される光ケーブルの経路が一つである場合の例であるが、経路が複数ある場合には、各経路毎に、最後に足し合わせた光ケーブルの両端部がそれぞれ取り込まれる中継設備を特定する情報を出力する。
【００３９】
このようにして、光ケーブル網において発生した障害の位置は、「Ｄ」と「Ｅ」との間であることが直ちにわかる。また、図９において括弧内に表示されているように、各中継設備を特定する情報と共に、障害発生地点までの光ケーブル長を測定する起点となる中継設備から各中継設備までの距離を表示するようにすることにより、光ケーブルにおける障害の位置をより詳細に特定することが可能となる。すなわち、図８において入力したように、障害発生地点までの光ケーブル長は７００ｍであるから、障害発生位置は、「Ｄ」から４５ｍの地点であることがすぐにわかるのである。
【００４０】
また本実施の形態にかかる光ケーブル心線管理サーバ２００は、図１０に示すように、心線単線結線図において、「Ｄ」と「Ｅ」との間をつなぐ光ケーブルを示す線画図形を、他の光ケーブルを示す線画図形とは異なる描画方法で示すようにすることもできる。このようにすることにより、障害が発生した光ケーブルを視覚的に把握することが可能となる。
【００４１】
さらに本実施の形態にかかる光ケーブル心線管理サーバ２００は、図１１に示すように、地図上に障害発生地点を示すようにすることもできる。  
この場合、光ケーブル心線管理サーバ２００は、図３に示すように、地図データベース６８０を記憶装置２８０に備える。地図データベース６８０は、光ケーブル網を構成する各光ケーブル及び各中継設備が敷設される位置にあわせて、地図上に、各光ケーブルを示す線画図形及び各中継設備を示す図形を表示した画像を記憶するデータベースである。
【００４２】
そして光ケーブル心線管理サーバ２００は、障害発生地点までの光ケーブル長を測定する起点となる中継設備を特定する情報と、その中継設備から障害発生地点までの光ケーブル長を示す情報と、上記中継設備から障害発生地点に至る光ケーブル網における経路上の各光ケーブルのそれぞれの長さを示す情報と、に基づいて、障害発生地点の地図上における位置を特定する。この際、光ケーブル心線管理サーバ２００は、上記中継設備から障害発生地点までの光ケーブル長と、上記中継設備から障害発生地点に至る光ケーブル網における経路上の各光ケーブルのそれぞれの長さの和との差分を、地図の縮尺に合わせて縮小し、そして障害が発生した光ケーブルの両端部が取り込まれる各中継設備の地図上における位置と上記差分とから、障害発生地点の地図上における位置を特定する。
【００４３】
そして光ケーブル心線管理サーバ２００は、その特定された位置に、障害発生地点を示す図形を重ねて表示した画像を表示する。図１１に示す例では、×印で示される位置が障害発生地点を示す。
【００４４】
このようにすることにより、広大な光ケーブル網敷設エリアの中から、障害が発生した位置を一目で特定することが可能となる。そして迅速に修理等を開始することが可能となり、光ケーブル網の信頼性や可用性を向上させることが可能となる。
【００４５】
以上、本実施の形態について説明したが、本実施の形態によれば、光ケーブル網における障害発生位置を迅速に特定することを可能となる。そして光ケーブル網に発生した障害を速やかに取り除くことが可能となる。これにより、光ケーブル網の信頼性や可用性を向上させると共に、光ケーブル網の維持管理負担を軽減することが可能となる。
【００４６】
以上、本発明を実施するための最良の形態について説明したが、上記実施の形態は本発明の理解を容易にするためのものであり、本発明を限定して解釈するためのものではない。本発明はその趣旨を逸脱することなく変更、改良され得ると共に、本発明にはその等価物も含まれる。
【図面の簡単な説明】
【００４７】
【図１】本実施の形態に係る光ケーブル心線管理システムの全体構成を示す図である。
【図２】本実施の形態に係る光ケーブル心線管理サーバ、利用者端末の構成を示す図である。
【図３】本実施の形態に係る光ケーブル心線管理サーバの記憶装置の構成を示す図である。
【図４】本実施の形態に係る利用者端末の記憶装置の構成を示す図である。
【図５】本実施の形態に係るクロージャ管理データベースを示す図である。
【図６】本実施の形態に係るケーブル管理データベースを示す図である。
【図７】本実施の形態に係る心線単線結線図を示す図である。
【図８】本実施の形態に係る障害発生地点までの光ケーブル長を入力する画面例を示す図である。
【図９】本実施の形態に係る障害発生地点を特定する情報を表示する画面例を示す図である。
【図１０】本実施の形態に係る心線単線結線図において障害発生地点を特定する情報が表示される様子を示す図である。
【図１１】本実施の形態に係る障害発生地点を地図上に表示する場合の例を示す図である。
【図１２】本実施の形態に係る障害発生部位特定処理の流れを示すフローチャートである。
【符号の説明】
【００４８】
１００  利用者端末
２００  光ケーブル心線管理サーバ
３００  光ケーブル長測定装置
４００  記録媒体
５００  ネットワーク
６００  クロージャ管理データベース
６５０  ケーブル管理データベース
６８０  地図データベース
７００  利用者端末制御プログラム
７１０  光ケーブル心線管理サーバ制御プログラム
９００  光ケーブル心線管理システム
【図１】
2007166505.tif 000003
【図２】
2007166505.tif 000004
【図３】
2007166505.tif 000005
【図４】
2007166505.tif 000006
【図５】
2007166505.tif 000007
【図６】
2007166505.tif 000008
【図８】
2007166505.tif 000009
【図９】
2007166505.tif 000010
【図１１】
2007166505.tif 000011
【図１２】
2007166505.tif 000012
【図７】
2007166505.tif 000013
【図１０】
2007166505.tif 000014